(57)【要約】【課題】媒体処理装置の可動ガイドをアクチュエ−タを省略して、磁気ヘッドの移動と連動して回動させることにより、媒体処理装置の構成を簡易にし、小型化する。【解決手段】磁気ヘッドと、磁気ヘッドを支えるキャリッジ組立体と、磁気ヘッドの走行路の移動時に磁気ヘッドの走行路から退避する媒体落下防止用の可動ガイドとを有する媒体処理装置において、可動ガイドをア−ムとレバ−からなるリンク機構とによって回動可能とする。キャリッジ組立体には、ア−ムに設けられたカム従動部を押すカム斜面を設け、磁気ヘッドの移動により、カム斜面がア−ムのカム従動部から離れて、これに連動するレバ−によって、可動ガイドを回動させ、走行路から退避させることができる。【選択図】　図５
2004054699.tif 000002
【特許請求の範囲】
【請求項１】
磁気ヘッドと、該磁気ヘッドを支えるキャリッジ組立体と、前記磁気ヘッドの走行路の移動時に、磁気ヘッドの走行路から退避する可動ガイドとを有する媒体処理装置において、
前記可動ガイドをリンク機構によって回動可能とし、
前記キャリッジ組立体に、前記リンク機構に設けられたカム従動部を押すカム斜面を設け、
前記磁気ヘッドの移動により、前記カム斜面が前記カム従動部から離れ、前記可動ガイドを回動させて、走行路から退避させることを特徴とする媒体処理装置。
【請求項２】
請求項１において、
前記磁気ヘッドが、待機位置から移動したときに、前記カム従動部を押していたカム斜面が前記カム従動部から離れて前記リンク機構が回動し、これに連動して可動ガイドを回動させ、前記可動ガイドを退避させることを特徴とする媒体処理装置。
【請求項３】
請求項１または請求項２において、
前記キャリッジ組立体に、磁気情報制御部と前記磁気ヘッドとを接続するフレキシブルケ−ブルを係止するブラケットを設け、
該ブラケットによって、前記磁気ヘッドの移動時に、前記フレキシブルケ−ブルを媒体の搬送面から退避させることを特徴とする媒体処理装置。
【請求項４】
請求項３において、
前記ブラケットは、前記磁気情報制御部の方向に、断面形状が略「く」の字型に曲折形成し、前記ブラケットを前記キャリッジ組立体に取付けるキャリッジ取付部と、待機位置側に突出したストッパ−部と、前記キャリッジ取付部から前記ストッパ−部にまたがるキャリッジ孔とを有し、
一端を前記磁気情報制御部に接続されたフレキシブルケ−ブルを前記キャリッジ孔から「く」の字型の内側を通し、前記フレキシブルケ−ブルの他端を磁気ヘッドに接続することを特徴とする媒体処理装置。
【請求項５】
請求項１から請求項４において、
前記キャリッジ組立体は、前記磁気ヘッドを支持する磁気ヘッドマウントと、前記磁気ヘッドが走行路を移動する際の軸支を有するキャリッジマウントとを有し、
前記磁気ヘッドマウントに、常に前記磁気ヘッドに媒体を当接させる弾性部材を設け、
前記キャリッジマウントの前記磁気ヘッドマウントとの合せ面に、基準孔と長孔を設け、前記磁気ヘッドの走行路に対する傾きの調整を、前記基準孔を基準として行うことができるようにしたことを特徴とする媒体処理装置。
【発明の詳細な説明】
【０００１】
【発明の属する技術分野】
本発明は、金融機関等で使用される通帳や証書等の磁気ストライプ情報の読取りおよび書込みを行う媒体処理装置に関する。
【０００２】
【従来の技術】
従来の媒体処理装置の部分の例を図１１を用いて説明する。
図１１は従来例の媒体処理装置の部分の平面図である。
１は磁気記録読取書込部であり、媒体処理装置の通帳、証書等（以下、媒体という。）の挿入排出口２の奥方に設置されている。
【０００３】
３は媒体を載せるためのステ−ジであり、媒体の挿入排出口２に、媒体検知センサ４が設置されており、媒体が挿入されたことおよび媒体の後端が通過したことを検知する。
５は磁気ヘッドであり、媒体に設けられた磁気ストライプに摺接する磁気ストライプ摺接面６を有し、モ−タ７により駆動されて、走行方向と平行に設置された走行路であるメインシャフト８およびサブシャフト９に沿って移動し、媒体の磁気ストライプ情報の読取りおよび書込みを行う。
【０００４】
１０は可動ガイドであり、媒体の搬送時にはステ−ジ３と水平な位置に停止し、媒体の落下を防止するものである。この可動ガイド１０は、磁気ヘッド５の移動時には、磁気ヘッド５の移動を妨げないように、図示しないアクチュエ−タにより走行路から退避する。
１１は搬送ロ−ラであり、挿入された媒体を狭持して搬送方向に移動して媒体を搬送する。
【０００５】
１２は幅寄せロ−ラであり、媒体を狭持して走行方向に移動して媒体を搬送し、磁気記録読取書込部１のフレ−ムに設けられた媒体突当面１３に当接させる。上記の構成によって、媒体の磁気ストライプ情報の読取りが行われるときは、媒体をステ−ジ３に載せ、搬送方向に挿入すると、媒体は搬送ロ−ラ１１により狭持され、媒体処理装置の内部に搬入される。
【０００６】
媒体の後端が媒体検知センサ４を通過すると、媒体は停止し、図示しない制御回路等で制御される図示しないアクチュエ−タが、搬送ロ−ラ１１の狭持を解除し、幅寄せロ−ラ１２が媒体を狭持して回転制御されると、走行方向（搬送方向と直交する方向）に移動して媒体を引寄せ、媒体突当面１３に当接させる。
次いで、幅寄せロ−ラ１２の狭持が解除され、搬送ロ−ラ１１が再び媒体を狭持して搬送し、磁気ヘッド５が媒体の磁気ストライプ情報を読取れる位置に停止させる。
【０００７】
磁気ヘッド５がモ−タ７によりメインシャフト８およびサブシャフト９に沿って移動し、磁気ストライプ摺接面６を媒体の磁気ストライプに摺接させて、磁気ストライプ情報の読取りおよび書込みを行う際には、可動ガイド１０は、磁気ヘッド５の移動を妨げない位置に退避する。
【０００８】
【発明が解決しようとする課題】
しかしながら、上述した従来の技術においては、可動ガイドを作動させるためのアクチュエ−タが必要となり、さらにアクチュエ−タを制御するための制御回路等も必要となるため、媒体処理装置の構成が複雑となり、大型化するという問題がある。
【０００９】
そこで本発明は、媒体処理装置の可動ガイドをアクチュエ−タを省略して、磁気ヘッドの移動と連動して回動させることにより、媒体処理装置の構成を簡易にし、小型化することを目的とする。
【００１０】
【課題を解決するための手段】
本発明は、上記課題を解決するために、磁気ヘッドと、磁気ヘッドを支えるキャリッジ組立体と、磁気ヘッドの走行路の移動時に、磁気ヘッドの走行路から退避する可動ガイドとを有する媒体処理装置において、可動ガイドをリンク機構によって回動可能とし、キャリッジ組立体に、リンク機構に設けられたカム従動部を押すカム斜面を設け、磁気ヘッドの移動により、カム斜面がカム従動部から離れ、可動ガイドを回動させて、走行路から退避させることを特徴とする。
【００１１】
【発明の実施の形態】
以下に、図面を参照して本発明による実施の形態について説明する。
第１実施の形態例
図１は本発明の第１実施の形態の媒体処理装置を示す側面図、図２は第１実施の形態の磁気記録読取書込部の平面図、図３は図２のＡ矢視図、図４は第１実施の形態の媒体処理装置の部分の磁気ヘッドの待機位置での構造を示す斜視図、図５は第１実施の形態の媒体処理装置の部分の磁気ヘッド移動時の構造を示す斜視図である。
【００１２】
なお、上記従来例と同様の部分は、同一の符号を付してその説明を省略する。図１において、２０は媒体を搬送する搬送路で、媒体の挿入排出口２から奥方に向かって設置されている。
２１はシャッタであり、媒体の磁気ストライプを走行方向と平行にするための突当て面として作用すると共に、媒体が搬送路２０上を図示しない印字部に搬送されるときに開閉する。
【００１３】
２２は制御部であり、媒体処理装置内の各部の制御を行う。
図２および図３において、３０は磁気情報制御部であり、媒体の磁気ストライプのアナログ情報をデジタル情報に変換する。
３１は磁気ヘッド５等を有するキャリッジ組立体（以下、キャリッジという。）で、モ−タ７により駆動されるベルト３２に連動して、走行路であるメインシャフト８およびサブシャフト９に沿って移動する。
【００１４】
図４および図５において、４０はカム斜面でキャリッジ３１に設けられており、走行方向に対して傾斜を有している。
４１はア−ムであり、搬送方向と平行にフレ−ム４２に設けられたア−ム軸４３に回動自在に支持され、ア−ム軸４３側にはカム従動部４４が設けられている。
【００１５】
４５はレバ−であり、ア−ム軸４３と直交してフレ−ム４２に設けられたレバ−軸４６に回動自在に支持され、レバ−軸４６と反対側のレバ−端部４７にはポスト４８が設けられており、ア−ム軸４３と反対側の端部に設けられているア−ムシャフト４９に当接するように配置されている。
５０は可動ガイド１０の側面に設けられたＬ字型レバ−部であり、ステ−ジ３の側面に回動自在に設けられた可動ガイド軸５１により支持される。また、Ｌ字型レバ−部５０には、ポスト５２が可動ガイド軸５１と平行に設けられており、レバ−４５に設けられた円弧状孔５３に嵌合する。
【００１６】
５４はト−ションスプリングであり、レバ−軸４６に嵌入されており、レバ−４５を矢印Ｃ方向と反対方向に常に付勢している。
なお、図４のＩ部に示すように、可動ガイド１０とステ−ジ３との接続部は、入れ子状に噛合わされている。
また、キャリッジ３１が図４に示す待機位置にあるときは、キャリッジ３１は可動ガイド１０に接触せず、可動ガイド１０の作動を妨げない。
【００１７】
また、搬送方向と平行に設けられたア−ム軸４３を中心として回動するア−ム４１と、ア−ム軸４３と直交方向のレバ−軸４６を中心として回動し、レバ−端部４７にア−ム４１と当接するポスト４８を有するレバ−４５と、レバ−４５に設けられた円弧状孔５３とによりリンク機構は構成されている。
上記の構成によって磁気ヘッド５が、図４に示す待機位置に移動する場合について説明する。
【００１８】
制御部２２の指示によりモ−タ７がベルト３２を駆動すると、内側に歯を有する歯付ベルトであるベルト３２はキャリッジ３１と噛合わされており、磁気ヘッド５を有するキャリッジ３１がこれに連動し、メインシャフト８およびサブシャフト９に沿って移動する。
図４において、磁気ヘッド５が待機位置に移動すると、キャリッジ３１に設けられているカム斜面４０は、ア−ム軸４３に設けられたカム従動部４４に当接し、カム従動部４４は、カム斜面４０に沿って押され、ア−ム４１は、ア−ム軸４３を中心として矢印Ｂ方向に回動する。
【００１９】
そして、ア−ムシャフト４９に当接しているレバ−４５に設置されたポスト４８は、ア−ムシャフト４９によって押され、レバ−４５は、レバ−軸４６を中心として矢印Ｃ方向に回動する。
これによって、可動ガイド１０のＬ字型レバ−部５０に設けられたポスト５２はレバ−４５の回動に連動して円弧状孔５３を移動し、可動ガイド軸５１を中心として矢印Ｄ方向に回動し、可動ガイド１０は、図４に示すようにステ−ジ３と水平な位置に停止し、ステ−３ジから搬送路２０に搬送される媒体の落下を防止する。
【００２０】
次に、図５に示すように、磁気ヘッド５が待機位置から走行方向に移動する場合ついて説明する。
図５において、磁気ヘッド５がメインシャフト８およびサブシャフト９に沿って走行方向に移動して待機位置から離れると、ア−ム軸４３に設けられたカム従動部４４を押していたカム斜面４０が、カム従動部４４から離れる。
【００２１】
この時、レバ−軸４６に設けられたト−ションスプリング５４は、常にレバ−４５を矢印Ｃ方向と反対方向に付勢しており、レバ−４５のポスト４８を介してレバ−４５を押していたア−ム４１は、矢印Ｂ方向と反対方向に回動し、レバ−４５は、レバ−軸４６を中心として矢印Ｃ方向と反対方向に回動する。
これによって、可動ガイド１０のＬ字型レバ−部５０に設けられたポスト５２は、レバ−４５の円弧状孔５３上を移動し、可動ガイド１０は、矢印Ｄ方向と反対方向に可動ガイド軸５１を中心として回動し、図５に示すように、媒体の搬送面から磁気ヘッド５の移動を妨げない位置に退避する。
【００２２】
以上のように、キャリッジにカム斜面を設けてアクチュエ−タよりも容積の小さいア−ムおよびレバ−からなるリンク機構と、磁気ヘッドの移動に連動して可動ガイドが作動するようにしたことによって、アクチュエ−タおよびアクチュエ−タの制御回路等を設ける必要がなくなり、媒体処理装置の構成を簡易にし、小型化することができる。
【００２３】
第２実施の形態例
図６は本発明の第２実施の形態のキャリッジ組立体の待機位置での説明図、図７は第２実施の形態のキャリッジ組立体の移動中での説明図、図８は第２実施の形態のブラケットの斜視図である。
なお、上記従来例および第１実施の形態例と同様の部分は、同一の符号を付してその説明を省略する。
【００２４】
図６、図７および図８において、６０はフレキシブルケ−ブルであり、一端は磁気ヘッド５に接続され、他端は磁気情報制御部３０に接続されており、磁気ヘッド５により読込まれた媒体の磁気ストライプ情報を磁気情報制御部３０に送る。
６１はフレキシブルケ−ブルのクランプであり、フレキシブルケ−ブル６０をフレ−ム４２に固定し、長さの調整を行う。
【００２５】
６２は断面形状が略「く」の字型に曲折形成しているブラケットであり、キャリッジ３１に取付けるためのブラケット取付部６３と、待機位置側に突出し、磁気情報制御部３０の方向に曲折したストッパ−部６４を有し、フレキシブルケ−ブル６０を係止し、ブラケット取付部６３からストッパ−部６４にまたがるフレキシブルケ−ブル６０を通すためのブラケット孔６５が設けられている。
【００２６】
なお、ブラケット６２には、樹脂等のフレキシブルケ−ブル６０を保護する程度の弾力性を有する材料が用いられ、キャリッジ３１の待機位置側に固定されている。
また、ブラケット孔６５のブラケット取付部６３側の縁は、フレキシブルケ−ブル６０のブラケット孔６５との接触による損傷を防ぐように、丸みを有するように処理されている。
【００２７】
また、フレキシブルケ−ブル６０は一端を磁気情報制御部３０に接続され、ブラケット孔６５から「く」の字型のブラケット６２の内側から通し、他端を磁気ヘッド５に接続する。
上述した構成の作用について説明する。
第２実施の形態例の作用において、一端を磁気ヘッド５に接続されたフレキシブルケ−ブル６０をブラケット孔６５から、磁気情報制御部３０の方向に「く」の字型に曲折形成しているブラケット６２の内側を通し、他端を磁気ヘッド５に接続することにより、磁気ヘッド５が走行方向に移動したとき、フレキシブルケ−ブル６０が搬送面上に浮上がるのを抑えて媒体の搬送面から退避させる。
【００２８】
また、磁気ヘッド５が待機位置に移動したとき、ストッパ−部６４がフレ−ム４２に突当っても、フレキシブルケ−ブル６０はブラケット６２に設けられたブラケット孔６５を通っており、フレキシブルケ−ブル６０はフレ−ム４２には接触せず、フレキシブルケ−ブル６０の保護を行っている。
以上のように本実施の形態においては、第１実施の形態例の効果に加えて、磁気ヘッドが走行方向に移動するとき、フレキシブルケ−ブルが搬送面上に浮上がるのを抑えて位置を規制し、媒体の搬送面から退避させることができる。
【００２９】
また、磁気ヘッドが待機位置に移動するとき、ストッパ−部が、フレ−ムに突当っても、フレ−ムには接触せず、フレキシブルケ−ブルを保護することができる。
第３実施の形態例
図９は第３実施の形態のキャリッジ組立体の背面図であり、図１０は図９のＥ−Ｆ−Ｅ断面図である。
【００３０】
なお、上記従来例、第１および第２実施の形態例と同様の部分は、同一の符号を付してその説明を省略する。
図９において、７０は媒体ガイドであり、磁気ヘッド５の両側に設けられており、媒体の磁気ストライプ情報の読取りおよび書込み時に磁気ヘッド５が媒体上を円滑に移動するように、キャリッジ３１の走行路に対して、磁気ヘッド５の磁気ストライプ摺接面６に向かって傾斜を有する。
【００３１】
７１は磁気ヘッドを支持する磁気ヘッドマウントであり、磁気ヘッド５を搬送面と直交方向に移動させるガイド溝７２を有し、媒体ガイド７０の突出部７０ａとこれに対向する磁気ヘッドマウント７１の突出部７１ａ間には弾性部材である圧縮コイルスプリング７３が嵌め込まれており、常に磁気ストライプ摺接面６を媒体に突当てるように付勢する。
【００３２】
７４はキャリッジマウントであり、磁気ヘッド５がメインシャフト８およびサブシャフト９に沿って移動する際の軸支を有している。
７５はキャリッジマウント固定部であり、磁気ヘッドマウント７１、キャリッジマウント７４およびブラケット６２とをネジにより固定する。
図１０において、キャリッジマウント７４の磁気ヘッドマウント７１との合せ面には基準孔８０および長孔８１が、磁気ヘッド５の磁気ストライプ摺接面６の走行路に対する傾きの調整をするために設けられている。
【００３３】
上述した構成の作用について説明する。
第１および第２実施の形態例の作用において、弾性部材である圧縮コイルスプリング７３は、媒体ガイド７０の突出部７０ａとこれに対向する磁気ヘッドマウント７１の突出部７１ａ間に嵌め込まれており、常に磁気ストライプ摺接面６を媒体に押当てるように付勢しており、磁気ヘッド５はガイド溝７２に沿って搬送面と直交方向に可動する。
【００３４】
この時、磁気ヘッド５が走行路を移動した際に、磁気ストライプ摺接面６が媒体の磁気ストライプ情報を適切に読取りおよび書込みを行うために、磁気ストライプ摺接面６の走行路に対する傾きの調整を行う。
磁気ストライプ摺接面６の走行路に対する傾きの調整は、キャリッジマウント７４に設けられた基準孔８０を基準として、長孔８１の範囲内で媒体ガイド７０および磁気ヘッドマウント７１を移動させることによって行われる。
【００３５】
このとき、圧縮コイルスプリング７３は、磁気ヘッドマウント７１上に設置されているため、圧縮コイルスプリング７３と直交方向の力が作用することはなく、圧縮コイルスプリング７３は、磁気ストライプ摺接面６の走行路に対する傾きの調整に対して影響を受けない。
以上のように本実施の形態においては、第１および第２実施の形態例の効果に加えて、圧縮コイルスプリングは磁気ヘッドマウント上に設置されているため、磁気ヘッドの磁気ストライプ摺接面の走行路に対する傾きの調整に対して影響を受けず、常に磁気ストライプ摺接面を媒体に対して垂直に押当てる事ができ、媒体の磁気ストライプ情報の読取りおよび書込みの精度を高めることができる。
【００３６】
【発明の効果】
以上述べたように、本発明は、アクチュエ−タを省略して媒体処理装置のキャッリッジにカム斜面を設けて、可動ガイドをキャリッジの移動と連動して回動させることにより、媒体処理装置の構成を簡易にし、小型化することができるという効果が得られる。
【図面の簡単な説明】
【図１】第１実施の形態の媒体処理装置を示す側面図
【図２】第１実施の形態の磁気記録読取書込部の平面図
【図３】図２のＡ矢視図
【図４】第１実施の形態の媒体処理装置の部分の磁気ヘッドの待機位置での構造を示す斜視図
【図５】第１実施の形態の媒体処理装置の部分の磁気ヘッドの移動時の構造を示す斜視図
【図６】第２実施の形態のキャリッジ組立体の待機位置での説明図
【図７】第２実施の形態のキャリッジ組立体の移動中での説明図
【図８】第２実施の形態のブラケットの斜視図
【図９】第３実施の形態のキャリッジ組立体の背面図
【図１０】図９のＥ−Ｆ−Ｅ断面図
【図１１】従来技術の媒体処理装置の部分の平面図
【符号の説明】
１　磁気記録読取書込部
５　磁気ヘッド
６　磁気ストライプ摺接面
８　メインシャフト
９　サブシャフト
１０　可動ガイド
３１　キャリッジ組立体
４０　カム斜面
４１　ア−ム
４２　フレ−ム
４４　カム従動部
４５　レバ−
５０　Ｌ字型レバ−部
５１　可動ガイド軸
５３　円弧状孔
６０　フレキシブルケ−ブル
６２　ブラケット
６３　ブラケット取付部
６４　ストッパ−部
６５　ブラケット孔
７０　媒体ガイド
７１　磁気ヘッドマウント
７４　キャリッジマウント
８０　基準孔
８１　長孔
【図１】
2004054699.tif 000003
【図２】
2004054699.tif 000004
【図３】
2004054699.tif 000005
【図４】
2004054699.tif 000006
【図５】
2004054699.tif 000007
【図６】
2004054699.tif 000008
【図７】
2004054699.tif 000009
【図８】
2004054699.tif 000010
【図９】
2004054699.tif 000011
【図１０】
2004054699.tif 000012
【図１１】
2004054699.tif 000013